(57)【特許請求の範囲】
【請求項１】
水平転送パルスによって左右水平２チャンネルの出力信号を出力する固体撮像素子と、前記固体撮像素子の左チャンネル出力信号をサンプリングする左チャンネル出力信号用サンプルホールド回路と、前記固体撮像素子の右チャンネル出力信号をサンプリングする右チャンネル出力信号用サンプルホールド回路と、前記水平転送パルスとサンプリングパルスとを発生する駆動パルス発生器とを備えた固体撮像装置であって、
前記サンプリングパルスにより前記左チャンネル出力信号用サンプルホールド回路および前記右チャンネル出力信号用サンプルホールド回路で前記固体撮像素子の左チャンネル出力信号および右チャンネル出力信号をサンプリングできるように、前記駆動パルス発生器の水平転送パルスを前記固体撮像素子の左チャンネル出力信号用と右チャンネル出力信号用の各々に位相を調整して左チャンネル用水平転送パルスおよび右チャンネル用水平転送パルスとして前記固体撮像素子へ出力する水平転送パルス位相調整回路を設けたことを特徴とする固体撮像装置。
【請求項２】
水平転送パルスによって左右水平２チャンネルの出力信号を出力する固体撮像素子と、前記固体撮像素子の左チャンネル出力信号をサンプリングする左チャンネル出力信号用サンプルホールド回路と、前記固体撮像素子の右チャンネル出力信号をサンプリングする右チャンネル出力信号用サンプルホールド回路と、前記水平転送パルスとサンプリングパルスとを発生する駆動パルス発生器とを備えた固体撮像装置であって、
前記サンプリングパルスにより前記左チャンネル出力信号用サンプルホールド回路および前記右チャンネル出力信号用サンプルホールド回路で前記固体撮像素子の左チャンネル出力信号および右チャンネル出力信号をサンプリングできるように、前記駆動パルス発生器のサンプリングパルスを前記左チャンネル出力信号用と右チャンネル出力信号用の各々に位相を調整し、各サンプリングパルスを前記左チャンネル出力信号用サンプルホールド回路および右チャンネル出力信号用サンプルホールド回路へ出力するサンプリングパルス位相調整回路を設けたことを特徴とする固体撮像装置。
【請求項３】
水平転送パルスによって左右水平２チャンネルの出力信号を出力する固体撮像素子と、前記固体撮像素子の左チャンネル出力信号をサンプリングする左チャンネル出力信号用サンプルホールド回路と、前記固体撮像素子の右チャンネル出力信号をサンプリングする右チャンネル出力信号用サンプルホールド回路と、前記水平転送パルスとサンプリングパルスとを発生する駆動パルス発生器とを備えた固体撮像装置であって、
前記サンプリングパルスにより前記左チャンネル出力信号用サンプルホールド回路および前記右チャンネル出力信号用サンプルホールド回路で前記固体撮像素子の左チャンネル出力信号および右チャンネル出力信号をサンプリングできるように、前記駆動パルス発生器の水平転送パルスを前記固体撮像素子の左チャンネル出力信号用と右チャンネル出力信号用の各々に位相を調整して左チャンネル用水平転送パルスおよび右チャンネル用水平転送パルスとして前記固体撮像素子へ出力する水平転送パルス位相調整回路と、前記駆動パルス発生器のサンプリングパルスを前記左チャンネル出力信号用と右チャンネル出力信号用の各々に位相を調整し、各サンプリングパルスを前記左チャンネル出力信号用サンプルホールド回路および右チャンネル出力信号用サンプルホールド回路へ出力するサンプリングパルス位相調整回路とを設けたことを特徴とする固体撮像装置。
【請求項４】
水平転送パルスによって左右水平２チャンネルの出力信号を出力する固体撮像素子と、前記固体撮像素子の左チャンネル出力信号をサンプリングする左チャンネル出力信号用サンプルホールド回路と、前記固体撮像素子の右チャンネル出力信号をサンプリングする右チャンネル出力信号用サンプルホールド回路とを備えた固体撮像装置に用いられ、前記水平転送パルスとサンプリングパルスとを発生する駆動パルス発生器であって、
前記水平転送パルスを前記固体撮像素子の左チャンネル出力信号用と右チャンネル出力信号用の各々に位相を調整して左チャンネル用水平転送パルスおよび右チャンネル用水平転送パルスとして前記固体撮像素子へ出力する水平転送パルス位相調整回路と、前記サンプリングパルスを前記左チャンネル出力信号用と右チャンネル出力信号用の各々に位相を調整し、各サンプリングパルスを前記左チャンネル出力信号用サンプルホールド回路および右チャンネル出力信号用サンプルホールド回路へ出力するサンプリングパルス位相調整回路とを設けたことを特徴とする駆動パルス発生器。
【請求項５】
水平転送パルスによって左右水平２チャンネルの出力信号を出力する固体撮像素子と、前記固体撮像素子の左チャンネル出力信号をサンプリングする左チャンネル出力信号用サンプルホールド回路と、前記固体撮像素子の右チャンネル出力信号をサンプリングする右チャンネル出力信号用サンプルホールド回路とを備えた固体撮像装置に用いられ、前記水平転送パルスとサンプリングパルスとを発生する駆動パルス発生器であって、
前記水平転送パルスを前記固体撮像素子の左チャンネル出力信号用と右チャンネル出力信号用の各々に位相を調整して左チャンネル用水平転送パルスおよび右チャンネル用水平転送パルスとして前記固体撮像素子へ出力する水平転送パルス位相調整回路を設けたことを特徴とする駆動パルス発生器。
【請求項６】
水平転送パルスによって左右水平２チャンネルの出力信号を出力する固体撮像素子と、前記水平転送パルスとサンプリングパルスとを発生する駆動パルス発生器とを備えた固体撮像装置に用いられ、前記固体撮像素子の左チャンネル出力信号または右チャンネル出力信号をサンプリングするサンプルホールド回路であって、
前記駆動パルス発生器からのサンプリングパルスの位相を調整するサンプリングパルス位相調整回路を設け、このサンプリングパルス位相調整回路により調整されたサンプリングパルスによりサンプリングを行うことを特徴とするサンプルホールド回路。
【発明の詳細な説明】
【０００１】
【発明の属する技術分野】
本発明は、左右水平２チャンネル出力を有する固体撮像素子から最大出力信号を得る固体撮像装置に関するものである。
【０００２】
【従来の技術】
図９に従来の左右水平２チャンネル出力固体撮像素子を有する固体撮像装置の構成図を示す。図９において、１は左右水平２チャンネル出力を有する固体撮像素子、２は左右水平２チャンネル出力を有する固体撮像素子１からの左チャンネル出力信号をサンプリングする左チャンネル出力信号用サンプルホールド回路、３は左右水平２チャンネル出力を有する固体撮像素子１からの右チャンネル出力信号をサンプリングする右チャンネル出力信号用サンプルホールド回路、４は左右水平２チャンネル出力を有する固体撮像素子１に左右同一位相の水平転送パルスを与え、且つ左チャンネル出力信号用サンプルホールド回路２と右チャンネル出力信号用サンプルホールド回路３とに同一位相のサンプリングパルスを与える駆動パルス発生器、５は左チャンネル出力信号用サンプルホールド回路２からの左チャンネル出力信号をディジタル変換する左チャンネル出力信号用Ａ／Ｄ変換器、６は右チャンネル出力信号用サンプルホールド回路３からの右チャンネル出力信号をディジタル変換する右チャンネル出力信号用Ａ／Ｄ変換器である。
【０００３】
以上のように構成された固体撮像装置について、以下に動作を説明する。
【０００４】
左右水平２チャンネル出力を有する固体撮像素子１は入力光を光電変換後、蓄積し、駆動パルス発生器４から出力される左右同一位相の水平転送パルスによって電荷を転送、左右画像信号を出力する。固体撮像素子１から出力された左右画像信号は左チャンネル出力信号用サンプルホールド回路２及び右チャンネル出力信号用サンプルホールド回路３に入力され、駆動パルス発生器４から出力される左右同一位相のサンプリングパルスによりサンプリングされ、ノイズ除去後、左右個々に左チャンネル出力信号用Ａ／Ｄ変換器５、右チャンネル出力信号用Ａ／Ｄ変換器６によりディジタルデータに変換されていた。
【０００５】
図１０は左右水平２チャンネル出力を有する固体撮像素子１の構成を示す概念図である。この固体撮像素子１は、図１０に示すように、撮像有効領域を中央で２つに分け、左右の有効領域のから信号を左右それぞれの水平転送レジスタで運び、左右それぞれの出力部より出力されるようになっている。
【０００６】
また、図１１は固体撮像素子１の左または右の出力部（左右同様）の構成および動作を説明するための図であり、図１１（Ａ）は出力部の構成とポテンシャル図、図１１（Ｂ）は出力部の等価回路、図１１（Ｃ）は各信号のタイミングチャートである。
【０００７】
ｔ＝ｔ１で、リセットゲートＲＧに入力されるリセット信号φＲＧがオンされる（Ｈｉｇｈレベルになる）ことにより、出力部の電位をＲＤ部の電位と同じにすることにより出力部をリセットする。このリセット期間ｍはφＲＧの漏れにより出力される。次に、ｔ＝ｔ２で、水平転送パルスφＨがＨｉｇｈの期間（出力ゲートＯＧよりポテンシャルが低い期間）がフィードスルー部（なにも出力されない状態）であり、ｔ＝ｔ３で、水平転送パルスφＨがＬｏｗの期間（出力ゲートＯＧよりポテンシャルが高い期間）に水平転送レジスタ部から出力部へ電荷が転送されることにより画像信号が出力される（Ｏｕｔは出力部の出力信号）。
【０００８】
【発明が解決しようとする課題】
しかしながら上記従来の構成では、左右水平２チャンネル出力を有する固体撮像素子１の構造上の問題（レイアウトによる左右特性差異、マスクずれ）により、以下に述べる第１の問題および第２の問題がある。
【０００９】
図１２は第１の問題が発生した場合の各部の信号のタイミングチャートである。図１２において、ｉは画像信号出力信号基準レベル、ｊは画像信号最大出力信号レベル、ｋはサンプリング可能な画像出力信号幅、ｌはサンプリング不可能な画像出力信号幅、ｍは固体撮像素子１からの出力信号のリセット期間を示す。
【００１０】
第１の問題は、固体撮像素子１内部の水平転送ゲートは容量が大きく、実際はレイアウトの左右特性差異やマスクずれによりゲート容量の左右差や内部配線遅延により左右で差が生じやすい。そのため外部からのパルス（駆動パルス発生器４からの水平転送パルスａ）が同じでも水平転送レジスタに加えられているパルス（ｂ，ｄ）としては遅延が起こり、左右差が生じることになる。図１２に示すように、リセットパルスは固体撮像素子１内のリセットゲート容量が小さいために左右で位相差が生じにくいが（図１２の出力信号ｅ，ｆのリセット期間ｍ参照）、水平転送パルスは固体撮像素子１内の水平転送ゲート容量が大きいため、固体撮像素子１内部の左右の水平転送パルスｂ，ｄに位相遅延差が生じた場合、左右に同一位相の水平転送パルスａを与えても出力信号の信号部に十分なサンプリング領域が得られない（図１２の右チャンネル出力信号ｆがサンプリング不可能な画像出力信号幅ｌとなる）ことにより、サンプリングができずに最大出力信号が得られないという問題である。
【００１１】
第２の問題は、第１の問題と原因は同じでマスクずれにより左右の出力部に（出力アンプ）能力差で遅延が発生し、図１３に示すように、固体撮像素子１から出力される信号全体で左右に位相差が生じた場合（出力信号ｅ，ｆ参照）、左右のサンプルホールド回路２，３に同一位相のサンプリングパルスｇを与えても適切な位置でサンプリングできずに最大出力信号が得られないという問題である。
【００１２】
また、図１４に示すように、上記の第１の問題と第２の問題とが同時に起こる場合もあった。
【００１３】
本発明の目的は、上記従来の問題点を解決するもので、左右水平２チャンネル出力の固体撮像素子の構造上の問題があっても、固体撮像素子の出力信号を最大出力信号レベルの位置でサンプリングすることができる固体撮像装置を提供することである。また、それに用いられる駆動パルス発生器，サンプルホールド回路を提供することである。
【００１４】
【課題を解決するための手段】
請求項１記載の固体撮像装置は、水平転送パルスによって左右水平２チャンネルの出力信号を出力する固体撮像素子と、固体撮像素子の左チャンネル出力信号をサンプリングする左チャンネル出力信号用サンプルホールド回路と、固体撮像素子の右チャンネル出力信号をサンプリングする右チャンネル出力信号用サンプルホールド回路と、水平転送パルスとサンプリングパルスとを発生する駆動パルス発生器とを備えた固体撮像装置であって、サンプリングパルスにより左チャンネル出力信号用サンプルホールド回路および右チャンネル出力信号用サンプルホールド回路で固体撮像素子の左チャンネル出力信号および右チャンネル出力信号をサンプリングできるように、駆動パルス発生器の水平転送パルスを固体撮像素子の左チャンネル出力信号用と右チャンネル出力信号用の各々に位相を調整して左チャンネル用水平転送パルスおよび右チャンネル用水平転送パルスとして固体撮像素子へ出力する水平転送パルス位相調整回路を設けたことを特徴とする。
【００１５】
この構成によれば、固体撮像素子の構造上の問題による前述の第１の問題を解決することができる。すなわち、水平転送パルス位相調整回路を設けたことにより、左右水平２チャンネル出力の固体撮像素子に対して左右個別に適切な水平転送パルスを与えることができ、固体撮像素子の左チャンネル出力信号および右チャンネル出力信号の最大出力信号レベルの期間をサンプリングに十分な期間とすることができ、左チャンネル出力信号用サンプルホールド回路および右チャンネル出力信号用サンプルホールド回路で固体撮像素子の左チャンネル出力信号および右チャンネル出力信号を最大出力信号レベルの位置でサンプリングでき、最大出力信号を得ることができる。
【００１６】
請求項２記載の固体撮像装置は、水平転送パルスによって左右水平２チャンネルの出力信号を出力する固体撮像素子と、固体撮像素子の左チャンネル出力信号をサンプリングする左チャンネル出力信号用サンプルホールド回路と、固体撮像素子の右チャンネル出力信号をサンプリングする右チャンネル出力信号用サンプルホールド回路と、水平転送パルスとサンプリングパルスとを発生する駆動パルス発生器とを備えた固体撮像装置であって、サンプリングパルスにより左チャンネル出力信号用サンプルホールド回路および右チャンネル出力信号用サンプルホールド回路で固体撮像素子の左チャンネル出力信号および右チャンネル出力信号をサンプリングできるように、駆動パルス発生器のサンプリングパルスを左チャンネル出力信号用と右チャンネル出力信号用の各々に位相を調整し、各サンプリングパルスを左チャンネル出力信号用サンプルホールド回路および右チャンネル出力信号用サンプルホールド回路へ出力するサンプリングパルス位相調整回路を設けたことを特徴とする。
【００１７】
この構成によれば、固体撮像素子の構造上の問題による前述の第２の問題を解決することができる。すなわち、サンプリングパルス位相調整回路を設けたことにより、左右水平２チャンネル出力の固体撮像素子の左右の出力信号に位相差が生じても、各出力信号の位相に合わせた適切な位置でのサンプリングパルスを与えることができ、左チャンネル出力信号用サンプルホールド回路および右チャンネル出力信号用サンプルホールド回路で固体撮像素子の左チャンネル出力信号および右チャンネル出力信号を最大出力信号レベルの位置でサンプリングでき、最大出力信号を得ることができる。
【００１８】
請求項３記載の固体撮像装置は、水平転送パルスによって左右水平２チャンネルの出力信号を出力する固体撮像素子と、固体撮像素子の左チャンネル出力信号をサンプリングする左チャンネル出力信号用サンプルホールド回路と、固体撮像素子の右チャンネル出力信号をサンプリングする右チャンネル出力信号用サンプルホールド回路と、水平転送パルスとサンプリングパルスとを発生する駆動パルス発生器とを備えた固体撮像装置であって、サンプリングパルスにより左チャンネル出力信号用サンプルホールド回路および右チャンネル出力信号用サンプルホールド回路で固体撮像素子の左チャンネル出力信号および右チャンネル出力信号をサンプリングできるように、駆動パルス発生器の水平転送パルスを固体撮像素子の左チャンネル出力信号用と右チャンネル出力信号用の各々に位相を調整して左チャンネル用水平転送パルスおよび右チャンネル用水平転送パルスとして固体撮像素子へ出力する水平転送パルス位相調整回路と、駆動パルス発生器のサンプリングパルスを左チャンネル出力信号用と右チャンネル出力信号用の各々に位相を調整し、各サンプリングパルスを左チャンネル出力信号用サンプルホールド回路および右チャンネル出力信号用サンプルホールド回路へ出力するサンプリングパルス位相調整回路とを設けたことを特徴とする。
【００１９】
この構成によれば、水平転送パルス位相調整回路とサンプリングパルス位相調整回路とを設けているため、固体撮像素子の構造上の問題による前述の第１の問題と第２の問題をともに解決することができる。
【００２０】
請求項４記載の駆動パルス発生器は、水平転送パルスによって左右水平２チャンネルの出力信号を出力する固体撮像素子と、固体撮像素子の左チャンネル出力信号をサンプリングする左チャンネル出力信号用サンプルホールド回路と、固体撮像素子の右チャンネル出力信号をサンプリングする右チャンネル出力信号用サンプルホールド回路とを備えた固体撮像装置に用いられ、水平転送パルスとサンプリングパルスとを発生する駆動パルス発生器であって、水平転送パルスを固体撮像素子の左チャンネル出力信号用と右チャンネル出力信号用の各々に位相を調整して左チャンネル用水平転送パルスおよび右チャンネル用水平転送パルスとして固体撮像素子へ出力する水平転送パルス位相調整回路と、サンプリングパルスを左チャンネル出力信号用と右チャンネル出力信号用の各々に位相を調整し、各サンプリングパルスを左チャンネル出力信号用サンプルホールド回路および右チャンネル出力信号用サンプルホールド回路へ出力するサンプリングパルス位相調整回路とを設けたことを特徴とする。
【００２１】
この駆動パルス発生器を用いた固体撮像装置によれば、固体撮像素子の構造上の問題による前述の第１の問題と第２の問題をともに解決することができる。
【００２２】
請求項５記載の駆動パルス発生器は、水平転送パルスによって左右水平２チャンネルの出力信号を出力する固体撮像素子と、固体撮像素子の左チャンネル出力信号をサンプリングする左チャンネル出力信号用サンプルホールド回路と、固体撮像素子の右チャンネル出力信号をサンプリングする右チャンネル出力信号用サンプルホールド回路とを備えた固体撮像装置に用いられ、水平転送パルスとサンプリングパルスとを発生する駆動パルス発生器であって、水平転送パルスを固体撮像素子の左チャンネル出力信号用と右チャンネル出力信号用の各々に位相を調整して左チャンネル用水平転送パルスおよび右チャンネル用水平転送パルスとして固体撮像素子へ出力する水平転送パルス位相調整回路を設けたことを特徴とする。
【００２３】
この駆動パルス発生器を用いた固体撮像装置によれば、固体撮像素子の構造上の問題による前述の第１の問題を解決することができる。
【００２４】
請求項６記載のサンプルホールド回路は、水平転送パルスによって左右水平２チャンネルの出力信号を出力する固体撮像素子と、水平転送パルスとサンプリングパルスとを発生する駆動パルス発生器とを備えた固体撮像装置に用いられ、固体撮像素子の左チャンネル出力信号または右チャンネル出力信号をサンプリングするサンプルホールド回路であって、駆動パルス発生器からのサンプリングパルスの位相を調整するサンプリングパルス位相調整回路を設け、このサンプリングパルス位相調整回路により調整されたサンプリングパルスによりサンプリングを行うことを特徴とする。
【００２５】
このサンプルホールド回路を用いた固体撮像装置によれば、固体撮像素子の構造上の問題による前述の第２の問題を解決することができる。
【００２６】
【発明の実施の形態】
以下、本発明の実施の形態の左右水平２チャンネル出力の固体撮像素子を有する固体撮像装置について、図面を参照しながら説明する。まず、図１に従来例における第１の問題（図１２の場合）を解決する本発明の第１の実施の形態の構成図を示す。
【００２７】
図１において、１は左右水平２チャンネル出力を有する固体撮像素子、２は左右水平２チャンネル出力を有する固体撮像素子１からの左チャンネル出力信号をサンプリングする左チャンネル出力信号用サンプルホールド回路、３は左右水平２チャンネル出力を有する固体撮像素子１からの右チャンネル出力信号をサンプリングする右チャンネル出力信号用サンプルホールド回路、４は左右水平２チャンネル出力を有する固体撮像素子１への水平転送パルスを与え、左チャンネル出力信号用サンプルホールド回路２及び右チャンネル出力信号用サンプルホールド回路３にサンプリングパルスを与える駆動パルス発生器、５は左チャンネル出力信号用サンプルホールド回路２からの左チャンネル出力信号をディジタル変換する左チャンネル出力信号用Ａ／Ｄ変換器、６は右チャンネル出力信号用サンプルホールド回路３からの右チャンネル出力信号をディジタル変換する右チャンネル出力信号用Ａ／Ｄ変換器、７は駆動パルス発生器４からの水平転送パルスを左右個別に位相調整できる水平転送パルス位相調整回路である。
【００２８】
また、ａは駆動パルス発生器４からの水平転送パルスであり、本実施の形態では、水平転送パルス位相調整回路７からの左チャンネル用水平転送パルスも同じａにした一例を示している。ｂは固体撮像素子１内の左チャンネル用水平転送パルス、ｃは水平転送パルス位相調整回路７からの右チャンネル用水平転送パルス、ｄは固体撮像素子１内の右チャンネル用水平転送パルス、ｅは固体撮像素子１からの左チャンネル出力信号、ｆは固体撮像素子１からの右チャンネル出力信号、ｇは駆動パルス発生器４からのサンプリングパルスである。
【００２９】
なお、各Ａ／Ｄ変換器５，６は駆動パルス発生器４から出力されるクロックを受け、各サンプルホールド回路２，３からの出力信号をＡ／Ｄ変換する。ここで、左右のＡ／Ｄ変換器５，６には同位相のクロックが入り、そのクロックで出力信号をサンプリングすることにより、前段のサンプルホールド回路２，３までに位相差が生じた出力信号の位相を同じにすることができる。この駆動パルス発生器４とＡ／Ｄ変換器５，６との関係については従来例でも同様である。
【００３０】
以上のように構成された第１の実施の形態の固体撮像装置について、さらに図２を参照しながら以下に動作を説明する。図２は各部の信号のタイミングチャートを示す。
【００３１】
左右水平２チャンネル出力を有する固体撮像素子１は、入力光を光電変換後、蓄積し、同一位相の内部水平転送パルスｂとｄにより電荷を転送、左右画像信号ｅ，ｆを出力する。ここで、内部水平転送パルスｂとｄは、駆動パルス発生器４から出力された水平転送パルスａは、水平転送パルス位相調整回路７に入力され、内部水平転送パルスｂとｄとが同一位相になるように左右個別に位相調整された水平転送パルスａとｃとして出力され、それぞれ内部水平転送パルスｂとｄとなる。ここでは、水平転送パルス位相調整回路７は、図１２の場合では右内部での水平転送パルスｄが遅れるため、駆動パルス発生器４からの水平転送パルスａに対して右内部での遅延分だけ早めた水平転送パルスｃを与えることにより、右内部水平転送パルスｄの位相を早くするように調整して、左内部水平転送パルスｂと同一位相にしている。
【００３２】
固体撮像素子１から出力された左右画像信号ｅ，ｆは左チャンネル出力信号用サンプルホールド回路２及び右チャンネル出力信号用サンプルホールド回路３に入力され、駆動パルス発生器４から出力された左右同一位相のサンプリングパルスｇによりサンプリングされ、ノイズ除去後、左右個々に左チャンネル出力信号用Ａ／Ｄ変換器５、右チャンネル出力信号用Ａ／Ｄ変換器６によりディジタルデータに変換する。
【００３３】
なお、上記説明では、駆動パルス発生器４からの水平転送パルスａが、左チャンネル側に対して適切な位相であり、水平転送パルス位相調整回路７で調整不要であり、駆動パルス発生器４からの水平転送パルスａと水平転送パルス位相調整回路７の出力の左チャンネル用水平転送パルスａとが同じ場合を一例として示したが、同様に右チャンネル側に対して適切な位相の水平転送パルスが駆動パルス発生器４から与えられている場合は、右チャンネル用水平転送パルスｃが調整不要となる。通常は、駆動パルス発生器４からの水平転送パルスａは左右両方のチャンネル用水平転送パルスとして適切な位相でなく、両方の位相調整が必要となる。したがって、水平転送パルス位相調整回路７は駆動パルス発生器４からの水平転送パルスａを左右のチャンネル側個別に位相調整できる回路構成になっている。
【００３４】
また、図３に水平転送パルス位相調整回路７における位相調整方法の一例を示すが、他の方法でもよい。図３（Ａ）の場合、ローパスフィルタを用いてパルス波形の立ち上がりおよび立ち下がりをなまらせて遅延量を調整した上でロジックゲートにより波形整形を行うようにする方法であり、図３（Ｂ）の場合、ロジックゲートを直列接続しゲート遅延を利用して調整する方法である。なお、水平転送パルスの位相調整量の設定は、製造完成後の動作中に基準としてフィードスルー部および画像信号出力フラット部が同一になるように調整する。
【００３５】
また、サンプリング（ｇがハイレベル）の期間中ずっと、左右のチャンネル出力信号ｅとｆの両方が最大出力信号レベルｊとなりさえすれば、内部の水平転送パルスｄと水平転送パルスｂとの位相は少しずれてもかまわない。
【００３６】
以上のように本実施の形態によれば、水平転送パルス位相調整回路７を設けたことにより、左右水平２チャンネル出力の固体撮像素子１に対して左右個別に適切な水平転送パルスａ，ｃを与えることができ、固体撮像素子１の出力信号ｅ，ｆのいずれもその最大出力信号レベルｊの期間がサンプリング可能な画像出力信号幅ｋとなり、サンプルホールド回路２，３のいずれもで固体撮像素子の出力信号ｅ，ｆを最大出力信号レベルｊの位置でサンプリングでき、最大出力信号を得ることができる。
【００３７】
次に、図４に従来例における第２の問題（図１３の場合）を解決する本発明の第２の実施の形態の構成図を示す。
【００３８】
図４において、１は左右水平２チャンネル出力を有する固体撮像素子、２は左右水平２チャンネル出力を有する固体撮像素子１からの左チャンネル出力信号をサンプリングする左チャンネル出力信号用サンプルホールド回路、３は左右水平２チャンネル出力を有する固体撮像素子１からの右チャンネル出力信号をサンプリングする右チャンネル出力信号用サンプルホールド回路、４は左右水平２チャンネル出力を有する固体撮像素子１への水平転送パルスを与え、左チャンネル出力信号用サンプルホールド回路２及び右チャンネル出力信号用サンプルホールド回路３にサンプリングパルスを与える駆動パルス発生器、５は左チャンネル出力信号用サンプルホールド回路２からの左チャンネル出力信号をディジタル変換する左チャンネル出力信号用Ａ／Ｄ変換器、６は右チャンネル出力信号用サンプルホールド回路３からの右チャンネル出力信号をディジタル変換する右チャンネル出力信号用Ａ／Ｄ変換器、８は駆動パルス発生器４からのサンプリングパルスを左右個別に位相調整できるサンプリングパルス位相調整回路である。
【００３９】
また、ｇは駆動パルス発生器４からのサンプリングパルスであり、本実施の形態ではサンプリングパルス位相調整回路８からの左チャンネル出力信号用サンプリングパルスも同じｇにした一例を示している。ｈはサンプリングパルス位相調整回路８からの右チャンネル出力信号用サンプリングパルスである。
【００４０】
以上のように構成された第２の実施の形態の固体撮像装置について、さらに図５を参照しながら以下に動作を説明する。図５は各部の信号のタイミングチャートを示す。
【００４１】
左右水平２チャンネル出力を有する固体撮像素子１は、入力光を光電変換後、蓄積し、駆動パルス発生器４から出力された左右同一位相の水平転送パルスａにより（内部では水平転送パルスｂとｄ）、電荷を転送、左右画像信号ｅ，ｆを出力する。
【００４２】
固体撮像素子１から出力された左右画像信号ｅ，ｆは左チャンネル出力信号用サンプルホールド回路２及び右チャンネル出力信号用サンプルホールド回路３に入力され、駆動パルス発生器４から出力されてサンプリングパルス位相調整回路８によって左右個別に位相調整されたサンプリングパルスｇ，ｈによりサンプリングされ、ノイズ除去後、左右個々に左チャンネル出力信号用Ａ／Ｄ変換器５、右チャンネル出力信号用Ａ／Ｄ変換器６によりディジタルデータに変換する。
【００４３】
なお、上記説明では、駆動パルス発生器４からのサンプリングパルスｇが、左チャンネル出力信号ｅに対して適切なポイントであり、サンプリングパルス位相調整回路８で調整不要であり、駆動パルス発生器４からのサンプリングパルスｇとサンプリングパルス位相調整回路８の出力の左チャンネル出力信号用サンプリングパルスｇとが同じ場合を一例として示したが、同様に右チャンネル出力信号ｆに対して適切なポイントのサンプリングパルスが駆動パルス発生器４から与えられている場合は、右チャンネル出力信号用サンプリングパルスｈが調整不要となる。通常は、駆動パルス発生器４で左右どちらのサンプリングパルスも調整しきれないため、サンプリングパルス位相調整回路８は駆動パルス発生器４からのサンプリングパルスｇを左右各々のサンプリングパルスに対して個別に位相調整できる回路構成になっている。
【００４４】
また、サンプリングパルス位相調整回路８における位相調整方法の一例としては、図３（Ａ），（Ｂ）に示した水平転送パルス位相調整回路７における位相調整方法と同様に示すことができるが、他の方法でもよい。なお、サンプリングパルスの位相調整量は、製造完成後の動作中に画像信号出力のフラット部が左右ともサンプリングできるように個々に調整する。
【００４５】
以上のように本実施の形態によれば、サンプリングパルス位相調整回路８を設けたことにより、左右水平２チャンネル出力の固体撮像素子１の出力信号ｅとｆに位相差が生じても、各出力信号ｅ，ｆの位相に合わせた適切な位置でのサンプリングパルスｇ，ｈを与えることができ、サンプルホールド回路２，３のいずれもで固体撮像素子の出力信号ｅ，ｆを最大出力信号レベルｊの位置でサンプリングでき、最大出力信号を得ることができる。
【００４６】
次に、図６に第１の問題と第２の問題を同時に解決する本発明の第３の実施の形態の構成図を示す。
【００４７】
すなわち、図６では、図１で示した駆動パルス発生器４からの水平転送パルスを左右個別に位相調整できる水平転送パルス位相調整回路７と、図４で示した駆動パルス発生器４からのサンプリングパルスを左右個別に位相調整できるサンプリングパルス位相調整回路８との両方を設けた構成である。
【００４８】
以上のように構成された第３の実施の形態の固体撮像装置について、以下に動作を説明する。
【００４９】
左右水平２チャンネル出力を有する固体撮像素子１は、入力光を光電変換後、蓄積し、駆動パルス発生器４から出力されて水平転送パルス位相調整回路７によって左右個別に位相調整された水平転送パルスａ，ｃにより電荷を転送、左右画像信号ｅ，ｆを出力する。固体撮像素子１から出力された左右画像信号ｅ，ｆは左チャンネル出力信号用サンプルホールド回路２及び右チャンネル出力信号用サンプルホールド回路３に入力され、駆動パルス発生器４から出力されてサンプリングパルス位相調整回路８によって左右個別に位相調整されたサンプリングパルスｇ，ｈによりサンプリングされ、ノイズ除去後、左右個々に左チャンネル出力信号用Ａ／Ｄ変換器５、右チャンネル出力信号用Ａ／Ｄ変換器６によりディジタルデータに変換する。
【００５０】
この第３の実施の形態によれば、水平転送パルス位相調整回路７とサンプリングパルス位相調整回路８との両方を設けているため、第１と第２の実施の形態における両方の効果が得られる、すなわち従来の第１の問題と第２の問題とをともに解決することができる。
【００５１】
また、図７は本発明の第４の実施の形態を示す構成図であり、水平転送パルス位相調整回路７とサンプリングパルス位相調整回路８を駆動パルス発生器４に内蔵したものである。
【００５２】
また、図８は本発明の第５の実施の形態を示す構成図であり、水平転送パルス位相調整回路７を駆動パルス発生器４に内蔵し、サンプリングパルス位相調整回路８を左右個別にサンプルホールド回路２，３に内蔵したものである。
【００５３】
また、図１または図６において、水平転送パルス位相調整回路７を駆動パルス発生器４に内蔵した構成でもよい。また、図４または図６において、サンプリングパルス位相調整回路８を駆動パルス発生器４に内蔵した構成でもよい。
【００５４】
【発明の効果】
以上のように本発明によれば、水平転送パルス位相調整回路を設けたことにより、左右水平２チャンネル出力の固体撮像素子に対して左右個別に適切な水平転送パルスを与えることができ、固体撮像素子の左チャンネル出力信号および右チャンネル出力信号の最大出力信号レベルの期間をサンプリングに十分な期間とすることができ、左チャンネル出力信号用サンプルホールド回路および右チャンネル出力信号用サンプルホールド回路で固体撮像素子の左チャンネル出力信号および右チャンネル出力信号を最大出力信号レベルの位置でサンプリングでき、最大出力信号を得ることができる。
【００５５】
また、サンプリングパルス位相調整回路を設けたことにより、左右水平２チャンネル出力の固体撮像素子の左右の出力信号に位相差が生じても、各出力信号の位相に合わせた適切な位置でのサンプリングパルスを与えることができ、左チャンネル出力信号用サンプルホールド回路および右チャンネル出力信号用サンプルホールド回路で固体撮像素子の左チャンネル出力信号および右チャンネル出力信号を最大出力信号レベルの位置でサンプリングでき、最大出力信号を得ることができる。
【図面の簡単な説明】
【図１】本発明の第１の実施の形態の固体撮像装置の構成図。
【図２】本発明の第１の実施の形態における各部の信号のタイミングチャート。
【図３】本発明の第１の実施の形態における水平転送パルス位相調整回路における位相調整方法を説明するための図。
【図４】本発明の第２の実施の形態の固体撮像装置の構成図。
【図５】本発明の第２の実施の形態における各部の信号のタイミングチャート。
【図６】本発明の第３の実施の形態の固体撮像装置の構成図。
【図７】本発明の第４の実施の形態の固体撮像装置の構成図。
【図８】本発明の第５の実施の形態の固体撮像装置の構成図。
【図９】従来の固体撮像装置の構成図。
【図１０】左右水平２チャンネル出力を有する固体撮像素子の構成を示す概念図。
【図１１】左右水平２チャンネル出力を有する固体撮像素子の左または右の出力部の構成および動作を説明するための図。
【図１２】従来例における第１の問題が発生時の各部の信号のタイミングチャート。
【図１３】従来例における第２の問題が発生時の各部の信号のタイミングチャート。
【図１４】従来例における第１の問題と第２の問題とが発生時の各部の信号のタイミングチャート。
【符号の説明】
１  左右水平２チャンネル出力を有する固体撮像素子
２  左チャンネル出力信号用サンプルホールド回路
３  右チャンネル出力信号用サンプルホールド回路
４  駆動パルス発生器
５  左チャンネル出力信号用Ａ／Ｄ変換器
６  右チャンネル出力信号用Ａ／Ｄ変換器
７  水平転送パルス位相調整回路
８  サンプリングパルス位相調整回路
【図１】
0004104809.tif 000002
【図２】
0004104809.tif 000003
【図３】
0004104809.tif 000004
【図４】
0004104809.tif 000005
【図５】
0004104809.tif 000006
【図６】
0004104809.tif 000007
【図７】
0004104809.tif 000008
【図８】
0004104809.tif 000009
【図９】
0004104809.tif 000010
【図１０】
0004104809.tif 000011
【図１１】
0004104809.tif 000012
【図１２】
0004104809.tif 000013
【図１３】
0004104809.tif 000014
【図１４】
0004104809.tif 000015